【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
複数の素線を相互に縒り合わせて形成されたワイヤケーブルであって、
このワイヤケーブルの軸方向の歪を検出する歪検出手段が、当該ワイヤケーブルに組み込まれ、
前記歪検出手段が光ファイバーからなる光ファイバーセンサであり、
この光ファイバーセンサが、前記ワイヤケーブルの伸縮に伴って変形するよう前記ワイヤケーブルに組み込まれ、前記光ファイバーセンサの変形により、入射された光の周波数の変化、もしくは光の反射、屈折又は干渉を検知することを特徴とするワイヤケーブル。
【請求項２】
前記素線の中の１本には、その軸方向に沿って形成された挿入孔が形成され、前記光ファイバーセンサが前記挿入孔に挿入されて、その軸方向が前記素線の伸縮と共に伸縮することを特徴とする請求項１に記載のワイヤケーブル。
【請求項３】
構造物を構成する部材を一定の姿勢に支持し、複数の素線を相互に縒り合わせて形成されたワイヤケーブルの張力を測定する張力測定システムであって、
前記ワイヤケーブルに組み込まれ、前記ワイヤケーブルの歪を検出する歪検出手段と、
前記歪検出手段の検出に基づいて前記ワイヤケーブルに作用する張力を算出する張力演算手段と、
前記歪検出手段の検出を前記歪検出手段から前記張力演算手段まで送信する信号通信手段と、を備え、
前記信号通信手段が、光ファイバーケーブルであり、
前記歪検出手段が、光ファイバーケーブルの一部を利用して形成された光ファイバーセンサであり、
この光ファイバーセンサが、前記ワイヤケーブルの伸縮に伴って変形するよう前記ワイヤケーブルに組み込まれ、前記光ファイバーセンサの変形によって、この光ファイバーセンサに入射された光の周波数の変化、もしくは光の反射、屈折又は干渉を検知して、
前記張力演算手段では、前記光ファイバーセンサの検知内容に基づいて、前記ワイヤケーブルの張力を算出することを特徴とする張力測定システム。
【請求項４】
橋梁のワイヤケーブルに該ワイヤケーブルの伸縮に伴って変形するように組み込まれた光ファイバーセンサと、
該光ファイバーセンサに連結されて前記光ファイバーセンサの信号を送信する光ファイバーケーブルと、
該光ファイバーケーブルに接続されて該光ファイバーケーブルを介して前記光ファイバーセンサへ所定の波長を有する光を入射させる光源、前記光ファイバーセンサから反射された光を受光する受光部、該受光部で受光された光を所定の電気信号に変換するインターフェイス等の機能を有すると共に前記光ファイバーケーブルを介して前記光ファイバーセンサから送信された反射光の信号に基づいて前記光ファイバーセンサで検知した波長の変化に基づき、ワイヤケーブルの歪を算出する光学部と、
該光学部に接続されて該光学部に対して測定開始・終了等の指令を発信するコントローラとして機能するコンピュータと、を備え、
前記光学部が、一定時間毎に測定を繰り返すようにシステム設計されていることを特長とする張力測定システム。
【請求項５】
構造物を構成する部材を一定の姿勢に支持し、複数の素線を相互に縒り合わせて形成されたワイヤケーブルの張力を測定するにあたり、
光ファイバーケーブルの一部を利用して形成された光ファイバーセンサを前記ワイヤケーブルに組み込み、
前記ワイヤケーブルの伸縮に伴って、前記光ファイバーセンサを変形せしめ、この変形に伴って発生する、前記光ファイバーセンサに入射された光の周波数の変化、もしくは光の反射、屈折又は干渉を検知し、
検知された光の周波数の変化、もしくは光の反射、屈折又は干渉に基づいて、張力演算手段により前記ワイヤケーブルの張力を算出することを特徴とする張力測定方法。
【手続補正２】
【補正対象書類名】明細書
【補正対象項目名】０００８
【補正方法】変更
【補正の内容】
【０００８】
本発明では、上記の課題を解決するために、次の解決手段を採用した。
第１に採用したのは、複数の素線を相互に縒り合わせて形成されたワイヤケーブルであって、
このワイヤケーブルの軸方向の歪を検出する歪検出手段が、当該ワイヤケーブルに組み込まれ、前記歪検出手段が光ファイバーからなる光ファイバーセンサであり、この光ファイバーセンサが、前記ワイヤケーブルの伸縮に伴って変形するよう前記ワイヤケーブルに組み込まれ、前記光ファイバーセンサの変形により、入射された光の周波数の変化、もしくは光の反射、屈折又は干渉を検知することを特徴とするワイヤケーブルである。
【手続補正３】
【補正対象書類名】明細書
【補正対象項目名】０００９
【補正方法】変更
【補正の内容】
【０００９】
かかるワイヤケーブルに関し、本発明では、前記素線の中の１本には、その軸方向に沿って形成された挿入孔を形成し、前記光ファイバーセンサを前記挿入孔に挿入されて、その軸方向が前記素線の伸縮と共に伸縮するように構成した。
【手続補正４】
【補正対象書類名】明細書
【補正対象項目名】００１０
【補正方法】変更
【補正の内容】
【００１０】
第２に採用したのは、構造物を構成する部材を一定の姿勢に支持し、複数の素線を相互に縒り合わせて形成されたワイヤケーブルの張力を測定する張力測定システムであって、
前記ワイヤケーブルに組み込まれ、前記ワイヤケーブルの歪を検出する歪検出手段と、前記歪検出手段の検出に基づいて前記ワイヤケーブルに作用する張力を算出する張力演算手段と、前記歪検出手段の検出を前記歪検出手段から前記張力演算手段まで送信する信号通信手段と、を備え、前記信号通信手段が、光ファイバーケーブルであり、前記歪検出手段が、光ファイバーケーブルの一部を利用して形成された光ファイバーセンサであり、この光ファイバーセンサが、前記ワイヤケーブルの伸縮に伴って変形するよう前記ワイヤケーブルに組み込まれ、前記光ファイバーセンサの変形によって、この光ファイバーセンサに入射された光の周波数の変化、もしくは光の反射、屈折又は干渉を検知して、前記張力演算手段では、前記光ファイバーセンサの検知内容に基づいて、前記ワイヤケーブルの張力を算出することを特徴とする張力測定システムである。
【手続補正５】
【補正対象書類名】明細書
【補正対象項目名】００１１
【補正方法】変更
【補正の内容】
【００１１】
第３に採用したのは、橋梁のワイヤケーブルに該ワイヤケーブルの伸縮に伴って変形するように組み込まれた光ファイバーセンサと、該光ファイバーセンサに連結されて前記光ファイバーセンサの信号を送信する光ファイバーケーブルと、該光ファイバーケーブルに接続されて該光ファイバーケーブルを介して前記光ファイバーセンサへ所定の波長を有する光を入射させる光源、前記光ファイバーセンサから反射された光を受光する受光部、該受光部で受光された光を所定の電気信号に変換するインターフェイス等の機能を有すると共に前記光ファイバーケーブルを介して前記光ファイバーセンサから送信された反射光の信号に基づいて前記光ファイバーセンサで検知した波長の変化に基づき、ワイヤケーブルの歪を算出する光学部と、該光学部に接続されて該光学部に対して測定開始・終了等の指令を発信するコントローラとして機能するコンピュータと、を備え、前記光学部が、一定時間毎に測定を繰り返すようにシステム設計されていることを特長とする張力測定システムである。
上記の第３に採用した張力測定システムによれば、橋梁のワイヤケーブルの張力が時間の経過と共にどのように変化するのかを自動的に測定することができる。
【手続補正６】
【補正対象書類名】明細書
【補正対象項目名】００１２
【補正方法】変更
【補正の内容】
【００１２】
そして、第４に、構造物を構成する部材を一定の姿勢に支持し、複数の素線を相互に縒り合わせて形成されたワイヤケーブルの張力を測定するにあたり、光ファイバーケーブルの一部を利用して形成された光ファイバーセンサを前記ワイヤケーブルに組み込み、前記ワイヤケーブルの伸縮に伴って、前記光ファイバーセンサを変形せしめ、この変形に伴って発生する、前記光ファイバーセンサに入射された光の周波数の変化、もしくは光の反射、屈折又は干渉を検知し、検知された光の周波数の変化、もしくは光の反射、屈折又は干渉に基づいて、張力演算手段により前記ワイヤケーブルの張力を算出することを特徴とする張力測定方法を採用した。